(57)【要約】      （修正有）【課題】製造コストを低減できる電子機器を提供する。【解決手段】電子機器は、筐体１０と、パネル１１と、バックライトと、シートと、複数のフレーム部とを備える。パネルは、筐体内にある。バックライトは、パネル１１に向かって発光する。シートは、パネル１１とバックライトとの間にある。複数のフレーム部は、パネル１１とシートとの間に介在し、互いに離間して配置される。【選択図】図４
2014153671.tif 000002
【特許請求の範囲】
【請求項１】
筐体と、
前記筐体内にあるパネルと、
前記パネルに向かって発光するバックライトと、
前記パネルと前記バックライトとの間にあるシートと、
前記パネルと前記シートとの間に介在し、互いに離間して配置された複数のフレーム部と、
を具備する電子機器。
【請求項２】
前記筺体は、互いに離間して配置された前記複数のフレーム部を覆う、請求項１に記載の電子機器。
【請求項３】
前記フレーム部がリブを有し、
前記筺体は、前記リブに係合することで前記筺体に取り付けられた前記フレーム部の動きを規制する係止部を有する、請求項１または２に記載の電子機器。
【請求項４】
前記筺体は、第１の係合部を有し、
前記フレーム部は、前記第１の係合部と係合する第２の係合部を有し、
前記シートは、前記第１および第２の係合部のうち少なくとも一方と係合する、請求項１または３に記載の電子機器。
【請求項５】
前記第１および第２の係合部のうち、一方が突出部を有し、他方が前記突出部が挿入される第１の開口部を有し、
前記シートは、前記突出部が挿入される第２の開口部を有する、請求項４に記載の電子機器。
【請求項６】
前記シートは、当該シートの外縁部から突出するとともに、前記筺体と前記フレーム部とによって挟持されるタブを有する、請求項１または５に記載の電子機器。
【請求項７】
前記パネルと前記フレーム部との間に介在する緩衝部材をさらに具備する請求項１または６に記載の電子機器。
【請求項８】
前記複数のフレーム部が、前記パネルの角部を支持する請求項１または７に記載の電子器。
【請求項９】
前記パネルは矩形状であって、
前記パネルの四つの角部は、二つずつ、対応する一つの前記フレーム部に支持された、請求項８に記載の電子機器。
【請求項１０】
前記パネルは四つの角部を有し、
前記複数のフレーム部は、前記パネルの四つの各角部をそれぞれ支持する四つのフレーム部材を有する、請求項８に記載の電子機器。
【発明の詳細な説明】
【技術分野】
【０００１】
本発明の実施形態は、電子機器に関する。
【背景技術】
【０００２】
液晶テレビのような画像を表示する電子機器は、例えば、液晶パネルのような画像を表示するパネルと、当該パネルを背後から照らすバックライトユニットとを有する。ミドルフレームが、当該バックライトユニットに含まれる光学シートと、前記パネルとの間に隙間を形成する。
【先行技術文献】
【特許文献】
【０００３】
【特許文献１】特開２０１２−１３８８４２号公報
【発明の概要】
【発明が解決しようとする課題】
【０００４】
本発明が解決しようとする課題は、製造コストを低減できる電子機器を提供することにある。
【課題を解決するための手段】
【０００５】
一つの実施の形態に係る電子機器は、筐体と、パネルと、バックライトと、シートと、複数のフレーム部とを備える。前記パネルは、前記筐体内にある。前記バックライトは、前記パネルに向かって発光する。前記シートは、前記パネルと前記バックライトとの間にある。前記複数のフレーム部は、前記パネルと前記シートとの間に介在し、互いに離間して配置される。
【図面の簡単な説明】
【０００６】
【図１】第１の実施の形態に係る電子機器を示す正面図。
【図２】第１の実施形態の筐体を分解して電子機器を示す斜視図。
【図３】第１の実施形態の電子機器の一部を分解して示す斜視図。
【図４】第１の実施形態の電子機器の一部を示す断面図。
【図５】第１の実施形態のバックカバーを示す斜視図。
【図６】第１の実施形態のバックカバーの外縁領域の一部を示す斜視図。
【図７】第１の実施形態のバックカバーの外縁領域の一つの角部を示す斜視図。
【図８】第１の実施形態の一対のフレーム部を示す斜視図。
【図９】第１の実施形態のフレーム部が取り付けられたバックカバーを示す正面図。
【図１０】第１の実施形態のフレーム部、シート、および第１のリブを示す斜視図。
【図１１】第２の実施の形態に係るバックカバーおよび複数のフレーム部を示す正面図。
【図１２】第３の実施の形態に係るバックカバーおよび複数のフレーム部を示す正面図。
【図１３】第３の実施形態のバックカバーおよび複数のフレーム部の変形例を示す正面図。
【図１４】第４の実施の形態に係るバックカバーおよび複数のフレーム部を示す正面図。
【発明を実施するための形態】
【０００７】
以下に、第１の実施の形態について、図１から図１０を参照して説明する。なお、本明細書において、手前側（すなわちユーザ側）を前方、ユーザから見て遠い側を後方、ユーザから見て左側を左方、ユーザから見て右側を右方、ユーザから見て上側を上方、ユーザから見て下側を下方と定義する。さらに、複数の表現が可能な各要素に、一つ以上の他の表現の例を付すことがある。しかし、これは、他の表現が付されていない要素について異なる表現がされることを否定するものではないし、例示されていない他の表現がされることを制限するものでもない。また、各図面は実施形態を概略的に示すものであり、図面に示される各要素の寸法は、実施形態の説明と異なることがある。
【０００８】
図１は、第１の実施の形態に係る電子機器１を示す正面図である。電子機器１は、液晶テレビであり、例えば、テレビジョン受像装置、表示装置、またはディスプレイ装置とも称され得る。なお、電子機器は、これに限らず、例えば、他の種類の薄型テレビ、パーソナルコンピュータ、携帯電話、スマートフォン、またはカーナビゲーション装置のような、種々の装置であっても良い。
【０００９】
図１に示すように、電子機器１は、筐体１０と、パネル１１と、スタンド１２とを有している。パネル１１は、液晶パネルであり、例えば表示部、部品、またはセルとも称され得る。なお、パネル１１はこれに限らず、画像を表示する他のパネルであっても良い。なお、本明細書において画像とは、静止画および動画を含む。
【００１０】
筐体１０は、略矩形の箱状に形成され、パネル１１を収容している。筐体１０は、矩形状のディスプレイ開口１５を有している。ディスプレイ開口１５は、筐体１０の前面１０ａに開口している。ディスプレイ開口１５は、パネル１１のスクリーン面１１ａを外部に露出させる。スクリーン面１１ａは、ガラス板またはアクリル板のような、透光性の板によって覆われても良い。
【００１１】
パネル１１は、矩形の板状に形成され、例えば、液晶層と、当該液晶層を挟む一対のガラス板と、当該ガラス板にそれぞれ重ねられる一対の偏光板とを有する。パネル１１の縁部に、例えば、ソース基板およびドライバＩＣが接続されている。パネル１１は、例えば当該ドライバＩＣに制御されることで、スクリーン面１１ａに画像を表示する。ユーザは、ディスプレイ開口１５を通して、パネル１１のスクリーン面１１ａに表示された画像を視聴できる。
【００１２】
スタンド１２は、筐体１０に取り外し可能に取り付けられる。スタンド１２は、例えばテレビ台に載置され、筐体１０を回動可能に支持する。なお、筐体１０はこれに限らず、スタンド１２を取り外され、壁に掛けられても良い。
【００１３】
図２は、筐体１０を分解して電子機器１を後方から示す斜視図である。図３は、電子機器１の一部を分解して示す斜視図である。図２に示すように、筐体１０は、ユニットカバー２１と、バックカバー２２と、フロントカバー２３とを有している。バックカバー２２は、例えば、収容部、壁部、またはカバーとも称され得る。フロントカバー２３は、例えばフロントベゼルまたはマスクとも称され得る。
【００１４】
ユニットカバー２１は、例えば爪やネジによって、バックカバー２２の外面２２ａに取り付けられる。ユニットカバー２１は、バックカバー２２の外面２２ａの一部を覆う。バックカバー２２の外面２２ａの他の部分は、外部に露出される。バックカバー２２の外面２２ａには、回路基板やスピーカのような種々の部品が取り付けられている。当該種々の部品は、ユニットカバー２１によって覆われている。
【００１５】
図３に示すように、バックカバー２２は、例えば爪やネジによって、フロントカバー２３に取り付けられる。組み合わされたバックカバー２２とフロントカバー２３とに、パネル１１と、一対のフレーム部２６と、バックライトユニット２７とが収容される。フレーム部２６は、例えば、ミドルフレームまたは中間部材とも称され得る。
【００１６】
図４は、ユニットカバー２１を除いて電子機器１の一部を示す断面図である。図４に示すように、バックライトユニット２７は、反射板３１と、複数のシート３２とを有している。各シート３２は、種々の光学作用を発揮し得る偏光シートやプリズムシートであり、例えば、光学シートのようにも称され得る。
【００１７】
反射板３１は、開放端３１ａを有する略箱状に形成されている。開放端３１ａは、矩形状の開口部である。反射板３１は、バックカバー２２の内面２２ｂに沿って、バックカバー２２に取り付けられている。バックカバー２２の内面２２ｂは、外面２２ａの反対側に位置する。反射板３１の開放端３１ａは、フロントカバー２３に向いている。
【００１８】
複数のシート３２は、互いに重ねられ、反射板３１の開放端３１ａを塞いでいる。言い換えると、複数のシート３２は、隙間を介して反射板３１の底面３１ｂに対向する。反射板３１の底面３１ｂは、開放端３１ａの反対側に位置する。
【００１９】
図５は、バックカバー２２を示す斜視図である。図５に二点鎖線で示すように、バックカバー２２の内面２２ｂに、複数のバックライト３３が配置されている。バックライト３３は、バックライトユニット２７に含まれる。
【００２０】
バックライト３３は、直下型方式（ダイレクト方式）のバックライトであり、複数のＬＥＤが実装された矩形状の回路基板を有する。なお、バックライト３３はこれに限らず、例えば、導光板と当該導光板の端面に配置された複数のＬＥＤとを有する、エッジライト方式のバックライトであっても良い。
【００２１】
バックライト３３の前記回路基板は、反射板３１とバックカバー２２との間に配置される。バックライト３３の前記ＬＥＤは、例えば反射板３１に設けられた孔に挿通され、反射板３１の底面３１ｂから突出している。このため、当該ＬＥＤは、反射板３１の底面３１ｂと、シート３２との間に位置する。
【００２２】
バックカバー２２は、開放端２２ｃを有する略箱状に形成されている。バックカバー２２は、錐台形に窪んだ中央領域（本体領域）４１と、バックカバー２２の外縁に沿って設けられたフランジ状の外縁領域４２と、を有している。外縁領域４２は、中央領域４１の周囲に設けられている。外縁領域４２は、中央領域４１を上側、右側、および左側から囲んでいる。言い換えると、外縁領域４２は、バックカバー２２の開放端２２ｃを囲んでいる。外縁領域４２は、所定の幅を有する枠状に形成されている。
【００２３】
図６は、バックカバー２２の外縁領域４２の一部を示す斜視図である。図７は、バックカバー２２の外縁領域４２の一つの角部を示す斜視図である。図６および図７に示すように、バックカバー２２は、第１のリブ４５と、複数の第２のリブ４６と、複数の第３のリブ４７と、外枠部４９とを有している。
【００２４】
第１のリブ４５は、中央領域４１と外縁領域４２との境界に設けられている。第１のリブ４５は、中央領域４１と外縁領域４２の間の境界に沿って連続的に延びている。第１のリブ４５は、バックカバー２２の全体の剛性を向上させるとともに、反射板３１の位置決めにも利用される。
【００２５】
複数の第２のリブ４６は、外縁領域４２内で、第１のリブ４５に沿ってそれぞれ延びている。第２のリブ４６は、第１のリブ４５と略平行に延びている。ただし、図７に示すように、外縁領域４２の角部において、第２のリブ４６は第１のリブ４５に対して斜めに延びる部分を含む。
【００２６】
第３のリブ４７は、第１のリブ４５および第２のリブ４６と一体に形成されている。第３のリブ４７は、第１のリブ４５および第２のリブ４６に略直交する方向に延びている。第３のリブ４７は、第１のリブ４５と第２のリブ４６とを連結する。
【００２７】
外枠部４９は、外縁領域４２の外周端に沿って延びている。外枠部４９は、第１ないし第３のリブ４５〜４７よりも大きく突出している。外枠部４９の内面に、例えばフロントカバー２３に係合する前記爪が設けられている。
【００２８】
第１ないし第３のリブ４５〜４７は、略環状に配置されている。例えば、図６に示すように、外縁領域４２の角部以外の場所において、第１ないし第３のリブ４５〜４７は、略四角形状（略箱状）に配置される。一方、図７に示すように、外縁領域４２の角部において、第１ないし第３のリブ４５〜４７は、二重になった略「Ｌ」字形部分を含む略多角形状（略袋状）に配置される。すなわち、略環状とは、略四角形状、略箱状、略多角形状、略袋状を含む。
【００２９】
また、本明細書において略環状とは、第１ないし第３のリブ４５〜４７が完全に連続していることを要するものではなく、第１ないし第３のリブ４５〜４７が実質的に連続していることを意味する。このため、第１ないし第３のリブ４５〜４７の一部分が途切れてもよい。
【００３０】
図５に示すように、第１のリブ４５は、複数の突出部４８を有している。突出部４８は、第１の係合部の一例である。突出部４８は、第１のリブ４５の他の部分よりも大きく突出している。突出部４８は、外縁領域４２の上方の辺部に設けられた第１のリブ４５と、下方の辺部に設けられた第１のリブ４５とに設けられる。外縁領域４２の辺部は、外縁領域４２の一部であって、直線状に延びた部分である。なお、突出部４８は、外縁領域４２の左右の辺部に設けられた第１のリブ４５に設けられても良い。
【００３１】
図６に示すように、複数の第３のリブ４７のうち少なくとも幾つかは、係止部５１を有している。係止部５１は、第３のリブ４７に設けられた切欠き（溝）である。複数の第３のリブ４７に設けられた係止部５１は、矩形の枠状に並んで配置されている。
【００３２】
図８は、一対のフレーム部２６を示す斜視図である。図８に示すように、フレーム部２６は、上方フレーム部材２６Ａと、下方フレーム部材２６Ｂとを有している。なお、以下の記載においては、上方フレーム部材２６Ａおよび下方フレーム部材２６Ｂに共通する説明の場合、上方フレーム部材２６Ａおよび下方フレーム部材２６Ｂを、包括的にフレーム部２６と呼称する。
【００３３】
一対のフレーム部２６は、それぞれ、第１の部分５３と、一対の第２の部分５４とを有している。第１の部分５３は、横方向に延びる部分であって、長手部、長尺部、または基部とも称され得る。第２の部分５４は、縦方向に延びる部分であって、短手部、短尺部、または延出部とも称され得る。
【００３４】
第１および第２の部分５３，５４は、それぞれ矩形の板状（棒状）に形成されている。第１の部分５３は、第２の部分５４よりも長い。一対の第２の部分５４は、それぞれ、第１の部分５３の両端部から略同一方向に向かって延びている。このため、一対の第２の部分５４は、略平行に延びている。第２の部分５４は、第１の部分５３に対して略直交する。このように、フレーム部２６は、コの字（Ｕ字）形状に形成されている。
【００３５】
図９は、フレーム部２６が取り付けられたバックカバー２２を示す正面図である。図９に示すように、一対のフレーム部２６は、それぞれ、バックカバー２２の枠状の外縁領域４２に取り付けられる。一対のフレーム部２６は、外縁領域４２において枠状に配置される。
【００３６】
上方フレーム部材２６Ａの第１の部分５３と、下方フレーム部材２６Ｂの第１の部分５３とは、略平行に配置されている。上方フレーム部材２６Ａの第２の部分５４と、対応する下方フレーム部材２６Ｂの第２の部分５４とは、直線状に並んでいる。
【００３７】
バックカバー２２の外縁領域４２に取り付けられた一対のフレーム部２６は、互いに離間している。言い換えると、上方フレーム部材２６Ａの第２の部分５４の先端は、下方フレーム部材２６Ｂの第２の部分５４の先端に、隙間を介して対向している。上方フレーム部材２６Ａは、バックカバー２２に取り付けられる一方で、下方フレーム部材２６Ｂには直接的に固定されない。
【００３８】
バックカバー２２の外縁領域４２に取り付けられた一対のフレーム部２６は、バックカバー２２の外枠部４９の内側に位置する。このため、一対のフレーム部２６の間の隙間は、外枠部４９および筐体１０の他の部分によって、外部から覆い隠される。このように、互いに離間して配置された一対のフレーム部２６は、筐体１０に覆われている。
【００３９】
図４に示すように、フレーム部２６は、第１の面５７と、第２の面５８とを有している。第２の面５８は、第１の面５７の反対側に位置する。第１の面５７は、シート３２と、バックカバー２２の第１ないし第３のリブ４５〜４７とに当接している。言い換えると、フレーム部２６はバックカバー２２に支持され、シート３２は反射板３１とフレーム部２６とによって挟まれている。シート３２は、フレーム部２６によって、バックカバー２２に取り付けられた反射板３１に押しつけられる。
【００４０】
フレーム部２６は、複数の第４のリブ６１を有している。第４のリブ６１は、リブの一例である。第４のリブ６１は、第１の面５７から突出している。図８に示すように、複数の第４のリブ６１は、フレーム部２６の第１および第２の部分５３，５４に沿って延びている。このため、一対のフレーム部２６がバックカバー２２に取り付けられたとき、複数の第４のリブ６１は枠状に並ぶ。
【００４１】
図４に示すように、第４のリブ６１は、バックカバー２２の係止部５１に嵌り込む。係止部５１は、第４のリブ６１と係合することで、バックカバー２２の外縁領域４２に対して平行なフレーム部２６の動きを規制する。
【００４２】
図８に示すように、フレーム部２６は、複数の第５のリブ６２をさらに有している。第５のリブ６２は、第４のリブ６１と一体に形成されている。第５のリブ６２は、第４のリブ６１に略直交して延びている。第４および第５のリブ６１，６２が交差する部分は、例えば円柱状に形成されても良い。当該交差する部分は、例えば、フレーム部２６が金型から外される際に、イジェクトピンによって押される。
【００４３】
図７に示すように、バックカバー２２の複数の第２のリブ４６のうち幾つかは、溝６４を有している。フレーム部２６がバックカバー２２に取り付けられると、第５のリブ６２が、当該溝６４に嵌り込む。溝６４は、第５のリブ６２と係合することで、バックカバー２２の外縁領域４２に対して平行なフレーム部２６の動きを規制する。
【００４４】
図４に示すように、フレーム部２６は、複数の囲繞部６５を有している。囲繞部６５は、例えば、環囲部、内枠部、または囲いとも称され得る。囲繞部６５は、第２の面５８の外周縁からそれぞれ突出し、枠状に並んでいる。
【００４５】
一対のフレーム部２６の第２の面５８に、それぞれ緩衝部材６７が取り付けられている。緩衝部材６７は、例えば、合成ゴムまたはスポンジである。緩衝部材６７は、フレーム部２６の第１の部分５３に沿って延びている。なお、緩衝部材６７は、第２の部分５４にも設けられて良い。
【００４６】
パネル１１は、緩衝部材６７を介して、フレーム部２６に支持される。言い換えると、緩衝部材６７は、パネル１１とフレーム部２６との間に介在する。パネル１１は、フロントカバー２３とフレーム部２６とに挟まれている。フロントカバー２３とパネル１１との間に、例えば、他の緩衝部材が介在しても良い。
【００４７】
パネル１１は、囲繞部６５に囲まれて、一対のフレーム部２６に支持される。囲繞部６５は、フレーム部２６に対するパネル１１のずれを抑制するとともに、パネル１１の位置決めに用いられる。上方フレーム部材２６Ａは、パネル１１の四つのうち二つの角部を支持する。下方フレーム部材２６Ｂは、パネル１１の四つのうち他の二つの角部を支持する。言い換えると、パネル１１の四つの角部は、二つずつ、対応する上方フレーム部材２６Ａまたは下方フレーム部材２６Ｂに支持される。
【００４８】
一対のフレーム部２６は、パネル１１とシート３２との間に介在している。このため、パネル１１とシート３２との間に隙間が形成され、パネル１１とシート３２とが互いに接触することが抑制される。
【００４９】
図８に示すように、フレーム部２６は、複数の第１の開口部７１を有している。第１の開口部７１は、第２の係合部の一例である。第１の開口部７１は、第１の部分５３に設けられ、第１の部分５３の長手方向に沿って延びるスリットである。なお、第１の開口部７１は第２の部分５４にも設けられても良い。
【００５０】
図３に示すように、シート３２は、複数のタブ７３を有している。タブ７３は、シート３２の外縁部から、シート３２と平行に突出している。複数のタブ７３のうち幾つかは、第２の開口部７４を有している。第２の開口部７４は、タブ７３が設けられたシート３２の外縁部に沿って延びるスリットである。
【００５１】
図１０は、フレーム部２６、シート３２、および第１のリブ４５の一部を示す斜視図である。図１０に示すように、フレーム部２６の第１の開口部７１と、シート３２の第２の開口部７４と、第１のリブ４５の突出部４８とは、対応して配置される。
【００５２】
シート３２が、バックカバー２２に取り付けられた反射板３１に重ねられると、突出部４８は、第２の開口部７４に挿入させられる。言い換えると、シート３２のタブ７３は、突出部４８に係合する。
【００５３】
フレーム部２６がバックカバー２２に取り付けられると、突出部４８が、第１の開口部７１に挿入させられる。言い換えると、第１の開口部７１は、突出部４８に係合する。フレーム部２６がバックカバー２２に取り付けられることで、シート３２のタブ７３は、バックカバー２２の第１のリブ４５とフレーム部２６とによって挟持される。フレーム部２６の第４のリブ６１は、タブ７３を避けるように延びている。
【００５４】
バックカバー１１の下端部に、複数のピンが設けられている。当該ピンは、フロントカバー２３に向かって突出している。下方フレーム部材２６Ｂに、バックカバー１１の前記ピンに対応する、複数の孔が設けられている。下方フレーム部材２６Ｂがバックカバー１１に取り付けられると、当該孔に、前記ピンが挿入される。これら孔およびピンは、バックカバー２２の外縁領域４２に対して平行なフレーム部２６の動きを規制する。
【００５５】
上方フレーム部材２６Ａを、下方フレーム部材２６Ｂが取り付けられるべき外縁領域４２の下方の辺部に取り付けようとすると、前記ピンが上方フレーム２６Ａに当接する。これにより、上方フレーム部材２６Ａと下方フレーム部材２６Ｂとの取り付け間違いが抑制される。
【００５６】
以上説明したような電子機器１において、前記ドライバＩＣに制御され、パネル１１がスクリーン面１１ａに画像を表示する。バックライト３３の前記ＬＥＤは、パネル１１に向かって発光する。当該ＬＥＤが発した光は、パネル１１とバックライト３３との間に位置する複数のシート３２によって種々の光学的処理をされ、パネル１１を透過する。これにより、パネル１１のスクリーン面１１ａは、バックライト３３によって照らされた明るい画像を表示する。
【００５７】
第１の実施形態の電子機器１において、一対のフレーム部２６によって、パネル１１とシート３２とが離間されている。言い換えると、パネル１１とシート３２とを離間させる枠状の部材が、複数に分割されている。さらに、一対のフレーム部２６は、互いに離間している。このため、上記枠状の部材を単一の部材として形成する場合に比べ、フレーム部２６を小型化できる。これにより、フレーム部２６の材料費や金型費が低減できる。さらに、フレーム部２６のハンドリング（取り扱い）が容易になって作業効率が向上し、製造工程中のフレーム部２６の破損が低減され、歩留まりが向上する。加えて、フレーム部２６の保管および輸送が容易になり、保管および輸送コストが低減できる。したがって、電子機器１の製造コストを低減できる。
【００５８】
筐体１０が、互いに離間して配置された一対のフレーム部２６を覆う。これにより、一対のフレーム部２６の間に形成された隙間から、バックライト３３の光が外部に漏れることを抑制できるとともに、パネル１１とシート３２との間に埃や塵のような異物が入ることを抑制できる。
【００５９】
フレーム部２６が第４および第５のリブ６１，６２を有することで、フレーム部２６の強度を高めることができる。このため、フレーム部２６がねじれることが抑制され、フレーム部２６はパネル１１を平らに支持できる。さらに、第４のリブ６１は、バックカバー２２の係止部５１に係合することで、フレーム部２６の移動を規制する。これにより、例えば製造工程中のフレーム部２６の脱落や、フレーム部２６に支持されるパネル１１とシート３２とのずれを抑制できる。
【００６０】
シート３２は、バックカバー２２の突出部４８に係合する。これにより、例えば製造工程中に、バックカバー２２に対してシート３２がずれることを抑制できる。なお、突出部４８がフレーム部２６に設けられ、第１の開口部７１がバックカバー２２に設けられても良い。
【００６１】
シート３２の第２の開口部７４に、突出部４８が挿入される。これにより、簡単にシート３２のずれを防止できる。さらに、突出部４８をフレーム部２６の第１の開口部７１に挿入することで、バックカバー２２とフレーム部２６との位置決めをすることができる。
【００６２】
シート３２は、バックカバー２２とフレーム部２６とによって挟持されるタブ７３を有している。これにより、バックカバー２２およびフレーム部２６に対してシート３２がずれることを抑制できる。
【００６３】
パネル１１とフレーム部２６との間に、緩衝部材６７が介在する。これにより、パネル１１が破損することを抑制できる。さらに、緩衝部材６７が滑り止めとなり、パネル１１がフレーム部２６に対してずれることを抑制できる。また、緩衝部材６７によって、パネル１１とフレーム部２６との間から漏れる光を遮蔽できる。
【００６４】
フレーム部２６は、パネル１１の角部を支持する。これにより、フレーム部２６に対するパネル１１の位置決めが容易になる。加えて、上方フレーム部材２６Ａおよび下方フレーム部材２６Ｂが、パネル１１の角部を二つずつ支持する。これにより、パネル１１に対するフレーム部２６の位置決めが容易になるとともに、フレーム部２６の強度を高めることができる。
【００６５】
次に、図１１を参照して、第２の実施の形態について説明する。なお、以下に開示する少なくとも一つの実施形態において、第１の実施形態の電子機器１と同様の機能を有する構成部分には同一の参照符号を付す。さらに、当該構成部分については、その説明を一部または全て省略することがある。
【００６６】
図１１は、第２の実施の形態に係るバックカバー２２および複数のフレーム部２６を示す正面図である。図１１に示すように、複数のフレーム部２６は、四つの角フレーム部材２６Ｃと、二つの辺フレーム部材２６Ｄとを有している。なお、以下の記載においては、角フレーム部材２６Ｃおよび辺フレーム部材２６Ｄに共通する説明の場合、角フレーム部材２６Ｃおよび辺フレーム部材２６Ｄを、包括的にフレーム部２６と呼称する。
【００６７】
角フレーム部材２６Ｃは、それぞれ、第１の部分８１と、第２の部分８２とを有している。第１の部分８１は、横方向に延びる部分である。第２の部分８２は、縦方向に延びる部分である。
【００６８】
第１および第２の部分８１，８２は、それぞれ矩形の板状（棒状）に形成されている。第１の部分８１の長さは、第２の部分８２の長さとおおよそ等しい。第２の部分８２は、第１の部分８１の一つの端部から延びている。第２の部分８２は、第１の部分８１に対して略直交する。このように、角フレーム部材２６Ｃは、Ｌ字形状に形成されている。
【００６９】
辺フレーム部材２６Ｃは、矩形の板状（棒状）に形成されている。辺フレーム部材２６Ｃの長さおよび幅は、角フレーム部材２６Ｃの第１および第２の部分８１，８２とおおよそ等しい。なお、辺フレーム部材２６Ｃの長さおよび幅が、角フレーム部材２６Ｃの第１および第２の部分８１，８２と異なっていても良い。
【００７０】
複数のフレーム部２６は、それぞれ、バックカバー２２の枠状の外縁領域４２に取り付けられる。このため、複数のフレーム部２６は枠状に配置される。具体的には、四つの角フレーム部材２６Ｃが、外縁領域４２の四つの角部にそれぞれ配置される。そして、二つの辺フレーム部材２６Ｄは、外縁領域４２の上方および下方の辺部において、角フレーム部材２６Ｃの間にそれぞれ配置される。
【００７１】
バックカバー２２の外縁領域４２に取り付けられた複数のフレーム部２６は、互いに離間している。言い換えると、角フレーム部材２６Ｃの第２の部分８２の先端は、他の角フレーム部材２６Ｃの第２の部分８２の先端に、隙間を介して対向している。そして、角フレーム部材２６Ｃの第１の部分８１の先端は、辺フレーム部材２６Ｄの端部に、隙間を介して対向している。
【００７２】
四つの角フレーム部材２６Ｃは、パネル１１の四つの角部をそれぞれ支持する。言い換えると、パネル１１の四つの各角部は、それぞれ対応する角フレーム部材２６Ｃに支持される。一方、二つの辺フレーム部材２６Ｄは、パネル１１の上方および下方の縁部をそれぞれ支持する。
【００７３】
第２の実施形態の電子機器１によれば、一つの角フレーム部材２６Ｃがパネル１１の一つの角部を支持することで、パネル１１に対するフレーム部２６の位置決めが容易になる。さらに、フレーム部２６を小型化でき、フレーム部２６の取り扱い、保管、および輸送が容易になる。さらに、四つの角フレーム部材２６の形状を共通化することで、製造コストを低減することも可能である。
【００７４】
次に、図１２を参照して、第３の実施の形態について説明する。図１２は、第３の実施の形態に係るバックカバー２２および複数のフレーム部２６を示す正面図である。図１２に示すように、第３の実施形態のフレーム部２６は、四つの角フレーム部材２６Ｃのみを有し、辺フレーム部材２６Ｄを有さない。四つの角フレーム部材２６Ｃは、パネル１１の四つの各角部をそれぞれ支持する。
【００７５】
図１２に示すように、角フレーム部材２６Ｃの第１の部分８１は、第２の部分８２よりも長い。角フレーム部材２６Ｃの第１の部分８１の端部は、隣接する角フレーム部材２６Ｃの第１の部分８１の端部に、隙間を介して対向する。同様に、角フレーム部材２６Ｃの第２の部分８２の端部は、隣接する角フレーム部材２６Ｃの第２の部分８２の端部に、隙間を介して対向する。向かい合う第１の部分８１の間の距離は、向かい合う第２の部分８２の間の距離と大よそ等しい。
【００７６】
図１３は、第３の実施形態のバックカバー２２および複数のフレーム部２６の変形例を示す正面図である。図１３に示すように、角フレーム部材２６Ｃの第１の部分８１の長さと、第２の部分８２の長さとが大よそ等しくても良い。この場合、向かい合う第１の部分８１の間の距離は、向かい合う第２の部分８２の間の距離よりも長くなる。第２の部分８２間の隙間よりも大きい第１の部分８１間の隙間は、外枠部４９および筐体１０の他の部分によって覆い隠される。このため、バックライト３３の光が筐体１０の外に漏れることが抑制される。
【００７７】
第３の実施形態の電子機器１によれば、第２の実施形態と同様に、パネル１１に対するフレーム部２６の位置決めが容易になる。また、フレーム部２６の取り扱い、保管、および輸送が容易になる。さらに、変形例のようにフレーム部２６を小型化することで、電子機器１の材料費を低減できる。
【００７８】
次に、図１４を参照して、第４の実施の形態について説明する。図１４は、第４の実施の形態に係るバックカバー２２および複数のフレーム部２６を示す正面図である。図１４に示すように、第４の実施形態のフレーム部２６は、左方フレーム部材２６Ｅと、右方フレーム部材２６Ｆとを有している。
【００７９】
左方フレーム部材２６Ｅおよび右方フレーム部材２６Ｆは、それぞれ、一対の第１の部分８５と、第２の部分８６とを有している。第１の部分８５は、横方向に延びる部分である。第２の部分８６は、縦方向に延びる部分である。
【００８０】
第１および第２の部分８５，８６は、それぞれ矩形の板状（棒状）に形成されている。一対の第１の部分８５は、第２の部分８６の両端部から略同一方向に向かって延びている。このため、一対の第１の部分８５は、略平行に延びている。第１の部分８５は、第２の部分８６に対して略直交する。このように、左方フレーム部材２６Ｅおよび右方フレーム部材２６Ｆは、それぞれ、コの字（Ｕ字）形状に形成されている。
【００８１】
左方フレーム部材２６Ｅは、パネル１１の四つのうち二つの角部を支持する。右方フレーム部材２６Ｆは、パネル１１の四つのうち他の二つの角部を支持する。言い換えると、パネル１１の四つの角部は、左方フレーム部材２６Ｅおよび右方フレーム部材２６Ｆに二つずつ支持される。
【００８２】
第４の実施形態の電子機器１によれば、第１の実施形態と同様に、左方フレーム部材２６Ｅおよび右方フレーム部材２６Ｆが、パネル１１の角部を二つずつ支持する。これにより、パネル１１に対するフレーム部２６の位置決めが容易になるとともに、フレーム部２６の強度を高めることができる。
【００８３】
以上述べた少なくとも一つの電子機器によれば、パネルとシートとの間に介在する複数のフレーム部が、互いに離間して筐体に取り付けられる。これにより、電子機器の製造コストを低減できる。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８５】
例えば、第１ないし第３のリブ４５〜４７は、フロントカバー２３に設けられても良い。このとき、複数のフレーム部２６は、フロントカバー２３に取り付けられる。
【符号の説明】
【００８６】
１…電子機器、１０…筐体、１１…パネル、２６…フレーム部、２６Ａ…上方フレーム部材、２６Ｂ…下方フレーム部材、２６Ｃ…角フレーム部材、２６Ｄ…辺フレーム部材、２６Ｅ…左方フレーム部材、２６Ｆ…右方フレーム部材、３２…シート、３３…バックライト、４８…突出部、５１…係止部、６１…第４のリブ、６７…緩衝部材、７１…第１の開口部、７３…タブ、７４…第２の開口部。
【図１】
2014153671.tif 000003
【図２】
2014153671.tif 000004
【図３】
2014153671.tif 000005
【図４】
2014153671.tif 000006
【図５】
2014153671.tif 000007
【図６】
2014153671.tif 000008
【図７】
2014153671.tif 000009
【図８】
2014153671.tif 000010
【図９】
2014153671.tif 000011
【図１０】
2014153671.tif 000012
【図１１】
2014153671.tif 000013
【図１２】
2014153671.tif 000014
【図１３】
2014153671.tif 000015
【図１４】
2014153671.tif 000016